(57)【要約】【課題】  レシート類の整理等をより一層少ない労力で効果的に行うことが可能で、家計分析等を行うにあたって便利な帳票整理用具セットを提供する。【解決手段】  行または列のいずれか一方に複数の異なる色、文字、図形または記号を付した一覧表３と、各々上部が開放された箱状の複数の帳票収納部２ａを備え、複数の帳票収納部２ａの各々に一覧表３の行または列のいずれか一方に付した異なる色、文字、図形または記号と同様の色、文字、図形または記号を付した帳票整理箱２とを備える帳票整理用具セット１。帳票４を特定の色等用いて分類して帳票整理箱２の帳票収納部２ａに収納した後、一覧表３の行または列のいずれか一方に付した色等を利用して一覧表３に分類された帳票に関するデータの整理を行うことができ、容易にレシート等の帳票を整理することができ、家計分析に活かすことができる。【選択図】  図１
2005288707.tif 000002
【特許請求の範囲】
【請求項１】
行または列のいずれか一方に複数の異なる色、文字、図形または記号を付した一覧表と、
各々上部が開放された箱状の複数の帳票収納部を備え、該複数の帳票収納部の各々に前記一覧表の行または列のいずれか一方に付した異なる色、文字、図形または記号と同様の色、文字、図形または記号を付した帳票整理箱とを備えることを特徴とする帳票整理用具セット。
【請求項２】
行または列のいずれか一方に日付を、他方に支出の種類を特定するための複数の項目を記載する一覧表であって、前記複数の項目の各々に互いに異なる色、文字、図形または記号を付した一覧表と、
各々上部が開放された箱状の複数の帳票収納部を備え、該複数の帳票収納部の各々に前記一覧表の行または列のいずれか一方に付した異なる色、文字、図形または記号と同様の色、文字、図形または記号を付した帳票整理箱とを備えることを特徴とするレシート類整理用具セット。
【請求項３】
前記一覧表の各日付の各項目毎の記入欄の上部に詳細項目名を、下部に金額を記入する欄を有することを特徴とする請求項２に記載のレシート類整理用具セット。
【発明の詳細な説明】
【技術分野】
【０００１】
本発明は、帳票整理用具セットに関し、特に、少ない労力で効果的にレシート類の整理等を行うことのできる帳票整理用具セットに関する。
【背景技術】
【０００２】
従来、無理のない家庭生活を送ることができるように主婦等の間で種々の家計簿が用いられている。家計簿は、ノート型のものが多く、日付とその日の支出の種類及び金額を記載するものがほとんどである。また、特許文献１等には、適宜の支出項目について毎日の支出額の記入欄を備えた日計帳を袋状に構成した袋分け家計簿が提案されている。さらに、ＰＣ（パーソナルコンピュータ）を利用して収入及び支出をキーボードから入力し、自動計算によって合計金額等を算出したり、グラフ等を駆使して支出の種類毎の支出の増減等を検討しやすくすることも行われている。
【０００３】
しかし、日々の収入及び支出を項目別に記入し、単に月毎に項目別に集計するものなどは、記録に手間がかかる割には効果が小さい。また、特許文献１に記載の家計簿のように、レシート等を整理しやすくすることにより家計簿への記入等の労力をある程度軽減することができるが、やはり家計簿の作成にかなりの時間がかかる。さらに、ＰＣを利用する場合には、金額等の入力作業が必要であり、ＰＣを駆使できる者でなければ使いこなすのは容易でないという問題があった。
【０００４】
そこで、本出願人は、特願２００２−２８４９３７において、日々の支出管理を良好に行うことができ、生活に必要な支出の計画、対策を容易に立てることができ、生活の破綻を回避することのできる家計分析方法及び家計分析用シートを提案した。
【０００５】
この家計分析用シートは、行または列のいずれか一方に日付を、他方に支出の種類を特定するための複数の項目を記載する一覧表であって、各々の項目毎に異なる色、文字、図形または記号を付した一覧表を有することを特徴とし、分類されたレシート類に記載された金額の合計を、家計分析用の一覧表の支出の種類を特定するための複数の項目のうち同一の色、文字、図形または記号の項目に記入するだけで済むため、簡単に一覧表を作成することができ、完成した家計分析用シートを見れば、一目でその月の支出状況を把握することができる。
【０００６】
【特許文献１】実用新案登録第３０２２１１４号
【発明の開示】
【発明が解決しようとする課題】
【０００７】
本発明は、上記家計分析用シート等とともに用いることにより、レシート類の整理等をより一層少ない労力で効果的に行うことが可能で、家計分析等を行うにあたって便利な帳票整理用具セットを提供することを目的とする。
【課題を解決するための手段】
【０００８】
上記目的を達成するため、本発明は、帳票整理用具セットであって、行または列のいずれか一方に複数の異なる色、文字、図形または記号を付した一覧表と、各々上部が開放された箱状の複数の帳票収納部を備え、該複数の帳票収納部の各々に前記一覧表の行または列のいずれか一方に付した異なる色、文字、図形または記号と同様の色、文字、図形または記号を付した帳票整理箱とを備えることを特徴とする。
【０００９】
そして、本発明によれば、帳票を特定の色、文字、図形または記号を用いて分類して帳票整理箱の帳票収納部に収納した後、一覧表の行または列のいずれか一方に付した色、文字、図形または記号を利用して一覧表に分類された帳票に関するデータの整理を行うことができるため、容易に帳票を整理することができる。
【００１０】
また、本発明は、レシート類整理用具セットであって、行または列のいずれか一方に日付を、他方に支出の種類を特定するための複数の項目を記載する一覧表であって、前記複数の項目の各々に互いに異なる色、文字、図形または記号を付した一覧表と、各々上部が開放された箱状の複数の帳票収納部を備え、該複数の帳票収納部の各々に前記一覧表の行または列のいずれか一方に付した異なる色、文字、図形または記号と同様の色、文字、図形または記号を付した帳票整理箱とを備えることを特徴とする。
【００１１】
そして、本発明によれば、レシート類を特定の色、文字、図形または記号を用いて分類して帳票整理箱の帳票収納部に収納し、分類されたレシート類に記載された金額の合計を、一覧表の支出の種類を特定するための複数の項目のうち同一の色、文字、図形または記号の項目に記入するだけでレシート類を整理することができるため、簡単に一覧表を作成することができる。また、完成した家計分析用シートを見れば、一目でその月の支出状況等を把握することができる。
【００１２】
前記レシート類整理用具セットにおいて、前記一覧表の各日付の各項目毎の記入欄の上部に詳細項目名を、下部に金額を記入する欄を有するように構成することができる。これによって、一覧表の各日付の各項目毎の記入欄の上部に詳細項目名を、下部に金額を記入することができるため、より詳しい支出状況を一目で把握することができる。
【発明の効果】
【００１３】
本発明によれば、レシート類の整理等をより一層少ない労力で効果的に行うことができ、家計分析等を行うにあたって便利な帳票整理用具セットを提供することができる。
【発明を実施するための最良の形態】
【００１４】
図１は、本発明にかかる帳票整理用具セットの一実施の形態を示し、この帳票整理用具セット１は、帳票整理箱２と、一覧表３とで構成される。尚、以下の説明においては、本発明にかかるレシート類整理用具セット１をレシート類の整理に用い、家計分析に役立てる場合を例にとって説明する。
【００１５】
帳票整理箱２は、各々上部が開放された複数の箱状の帳票収納部２ａを備え、各々の帳票収納部２ａの上部が開放されている。この帳票収納部２ａの各々には、互いに異なる色が付されている。すなわち、左端から右端に向かって、ピンク色、黄色、橙色、青色、こげ茶色、黄緑色、白色が付されている。尚、この着色は、各々の帳票収納部２ａ全体に行ってもよく、その一部に行うこともできる。
【００１６】
一覧表３は、各行の左端に日付を、各列の最上部に支出の種類を特定するための複数の項目が印刷され、各項目名の下に、帳票整理箱２と同様の色分けがなされている。すなわち、左から右に向かって、ピンク色、黄色、橙色、青色、こげ茶色、黄緑色、白色が付されている。尚、この着色は、各々の欄全体に行ってもよく、その一部に行うこともできる。また、一覧表３の各日付の各項目毎の記入欄の上部に詳細項目名を、下部に金額を記入する欄を設けてもよい。
【００１７】
次に、上記帳票整理用具セット１の使用方法について、図面を参照しながら説明する。
【００１８】
まず、帳票整理用具セット１の使用者は、家計の分析をするにあたって、支出の種類を特定するための複数の項目を設定する。これらの項目は、例えば、図１（ｂ）に示すように、食費、生活費、特別費、職業費、教育費等とし、スーパー等で食事の材料を買った場合には食費とし、洗濯のための洗剤を買った場合には生活費とし、電気代等を支払った場合には固定費とし、塾にお金をつかった場合には教育費として支出を分類する。
【００１９】
次に、使用者は、家計分析を開始した日の手持ちの金額を確かめる。これは、前日までの残高である。この残高をノート等に日付とともに記入する。
【００２０】
一日が終わると、使用者は、レシート、領収書等（以下、「レシート類」という）を点検し、図２に示すように、例えば、レシート４の金額の下に、食費や光熱費等項目毎に予め設定した色のペン等でアンダーライン５を引く。例えば、同図に示した例では、商品が食パンであるため、食費としてピンク色のアンダーライン５を引く。また、日付にもアンダーライン６を付ける。
【００２１】
レシート４の金額及び日付にアンダーラインを引き終えると、使用者は、帳票整理箱２を用意し、レシート４に付した色と同じ色の帳票収納部２ａにレシート４を収容する。すなわち、上述のようにピンク色のアンダーライン５を付したレシート４は、ピンク色を付した左端の帳票収納部２ａに収納する。このようにして、すべてのレシート類を収納し終えると、使用者は、各色の帳票収納部２ａ毎にレシート類の金額を合計する。
【００２２】
次に、使用者は、一覧表３を用意し、空欄となっている行の左端の日付欄にその日の日付を記入する。そして、各色の帳票収納部２ａ毎のレシート類の合計金額を一覧表３に記載する。この際、帳票整理箱２の帳票収納部２ａと同じ色が付された項目に記載することにより、記載箇所を間違えることなく、容易に一覧表３に合計金額を記載することができる。
【００２３】
次に、各項目毎のレシート類の金額を加算して前日の残高になることを確かめる。残高を合わせ終えたら、レシート類をまとめてステープラー等で止める。
【００２４】
使用者が上記のような日々の作業を続け、１ヶ月が過ぎると、食費や生活費等の項目毎の１ヶ月分の合計金額を計算して一覧表３に記入する。
【００２５】
使用者は、１ヶ月を単位とする一覧表３をファイルして、家計分析を行うことができる。上記レシート類を保存しておけば、後日、日々購入したものの明細を見たいような場合には、保管していたレシート類を参照すれば足りる。
【００２６】
尚、各項目毎に色を設定するのではなく、各項目毎に特定の文字（数字を含む）、図形（☆、□、▽等）または記号（※、〒、◎等）を設定することも可能であり、手書きはもちろん、スタンプ等を使用することもできる。例えば、老眼の人には、数字等の簡単な形が適している。また、色盲、色弱の人には、文字が判りやすく、種々の形態を採ることができる。
【００２７】
また、上記実施例においては、分類したレシート類に記載された金額を一日毎に合計しているが、必ずしも１日毎でなくとも、数日分をまとめて合計するようにしてもよい。
【００２８】
さらに、上記家計分析用シートは、１ヶ月毎に作成していたが、必ずしも１ヶ月毎でなくともよく、１枚の家計分析用シートをまとめる期間は種々設定することができ、家計簿として利用することももちろん可能である。
【図面の簡単な説明】
【００２９】
【図１】本発明にかかる帳票整理用具セットの一実施の形態を示す図であって、（ａ）は帳票整理箱を、（ｂ）は一覧表を示す。
【図２】本発明にかかる帳票整理用具セットの使用方法を説明するためのレシートの概略図である。
【符号の説明】
【００３０】
１      帳票整理用具セット
２      帳票整理箱
２ａ    帳票収納部
３      一覧表
４      レシート
５      アンダーライン
６      アンダーライン
【図１】
2005288707.tif 000003
【図２】
2005288707.tif 000004